(57)【要約】【課題】航空機の機内において壁部への表示灯の組み込み作業や化粧室から壁部までの電気配線の取り回し作業を省き、さらに、従来の化粧室が空きか否かの判定ロジックも省いてコストダウンを図り、また、座席からも化粧室の正面からも瞬時に使用非使用を判断できる化粧室ユニットを提供すること。【解決手段】  化粧室ユニット１２は、化粧室１４を客室から仕切る化粧室躯体１６を備える。化粧室躯体１６は、両側の側面壁２０と、それら側面壁２０の前部を接続する正面壁２２とを備えている。両側の側面壁２０は、それぞれ座席群Ｇに対向している。正面壁２２は、機体の左右方向の中央に臨んでいる。正面壁２２の左右の上部と両側の側面壁２０の前部の上部とが交わる角部に、化粧室１４の使用非使用表示用の表示灯３０が、正面壁２２の前方と両側の側面壁２０の側方から視認可能に設けられている。【選択図】図３
2009073311.tif 000002
【特許請求の範囲】
【請求項１】
互いに対向する両側の側面壁およびそれら側面壁の前部を接続する正面壁を有し化粧室を仕切る化粧室躯体と、
前記正面壁に設けられドアで開閉される出入口とを備え、
前記正面壁の左右の上部と前記両側の側面壁の前部の上部とが交わる角部に、化粧室の使用非使用表示用の表示灯が、前記正面壁の前方と前記両側の側面壁の側方から視認可能に設けられている、
ことを特徴とする化粧室ユニット。
【請求項２】
互いに対向する両側の側面壁およびそれら側面壁の前部を接続する正面壁を有し化粧室を仕切る化粧室躯体と、
前記正面壁に設けられドアで開閉される出入口とを備え、
前記正面壁の左右方向の一方の上部と、この上部に接続する前記両側の側面壁の一方の側面壁の上部とが交わる角部に、化粧室の使用非使用表示用の表示灯が、前記正面壁の前方と前記一方の側面壁の側方から視認可能に設けられている、
ことを特徴とする化粧室ユニット。
【請求項３】
航空機の機内に設置される化粧室ユニットであって、
互いに対向する両側の側面壁およびそれら側面壁の前部を接続する正面壁を有し化粧室を仕切る化粧室躯体と、
前記正面壁に設けられドアで開閉される出入口とを備え、
前記機内には、多数の座席が機体の前後左右に並べられた座席群が機体の前後に沿って複数設けられ、
前記化粧室ユニットは、前記正面壁を機体の左右方向の中央に向け、かつ、前記両側の側面壁を機体の左右方向に延在させて前記複数の座席群の間に配置され、
前記正面壁の左右の上部と前記両側の側面壁の前部の上部とが交わる角部に、化粧室の使用非使用表示用の表示灯が、前記正面壁の前方と前記両側の側面壁の側方から視認可能に設けられている、
ことを特徴とする化粧室ユニット。
【請求項４】
航空機の機内に設置される化粧室ユニットであって、
互いに対向する両側の側面壁およびそれら側面壁の前部を接続する正面壁を有し化粧室を仕切る化粧室躯体と、
前記正面壁に設けられドアで開閉される出入口とを備え、
前記機内には、多数の座席が機体の前後左右に並べられた座席群が設けられ、
前記化粧室ユニットは、前記正面壁を機体の左右方向の中央に向け、かつ、前記両側の側面壁を機体の左右方向に延在させて前記座席群の前方または後方に配置され、
前記両側の側面壁のうち前記座席群に臨む一方の側面壁の上部と、前記正面壁の上部とが交わる角部に、化粧室の使用非使用表示用の表示灯が、前記正面壁の前方と前記一方の側面壁の側方から視認可能に設けられている、
ことを特徴とする化粧室ユニット。
【請求項５】
前記表示灯は前記角部に沿って上下に延在し、上下に縦長形状を呈している、
ことを特徴とする請求項１乃至４に何れか１項記載の化粧室ユニット。
【請求項６】
前記表示灯は前記角部の上端から前記出入口の上縁よりも下方の箇所まで前記角部に沿って上下に延在し、上下に縦長形状を呈している、
ことを特徴とする請求項１乃至４に何れか１項記載の化粧室ユニット。
【請求項７】
前記正面壁の左右の縁と、前記両側の側面壁の前縁とを連続状に接続するカバーが設けられ、
前記正面壁の左右と前記両側の側面壁の前部とが交わる角部は前記カバーで構成され、
前記表示灯が配置される前記カバーの上部箇所は欠部とされ、
前記表示灯は前記欠部に配置されて前記カバーと連続状となっている、
ことを特徴とする請求項１乃至４に何れか１項記載の化粧室ユニット。
【請求項８】
前記表示灯は、発光源と、前記発光源を覆うカバーとを備え、
前記角部に配置されるカバーおよび前記表示灯のカバーは、前記正面壁の縁と、前記側面壁の縁とを接続する外方に凸状の湾曲面を有している、
ことを特徴とする請求項７記載の化粧室ユニット。
【請求項９】
前記表示灯を点灯させる制御部が設けられ、
前記制御部は、化粧室が使用されているときには前記表示灯を赤色に点灯し、化粧室の非使用時には前記表示灯を緑色または青色に点灯する、
ことを特徴とする請求項１乃至４に何れか１項記載の化粧室ユニット。
【発明の詳細な説明】
【技術分野】
【０００１】
本発明は化粧室ユニットに関し、より詳細には、航空機の機内に設置されて好適な化粧室ユニットに関する。
【背景技術】
【０００２】
航空機の機内には、多数の座席が並べられた座席群が機体の前後方向に沿って複数配置されており、航空機用の化粧室ユニットは、それら座席群の間のスペースに配置される場合が多い。
従来、航空機の機内には、化粧室の使用非使用表示用の表示灯が、座席群の間のスペースの天井壁から垂設された壁部に設けられ、乗客が座席に座ったままの姿勢でこの表示灯を視認して化粧室を使用できるか否かを判断できようにし、化粧室の使い勝手が図られている。
また、化粧室のドアには小窓が設けられ、この小窓に、化粧室の内側からのロック操作に連動させて赤または緑のプレートを露出させ、化粧室が使用されているか空いているかを判断できるようにしている。
【特許文献１】特開平５−１５４０３０
【特許文献２】特開平６−３３３１７４
【発明の開示】
【発明が解決しようとする課題】
【０００３】
しかしながら、従来の表示灯は、例えば同列に２つの化粧室が対向して設置されている場合、両方の化粧室が使用中である場合以外は非使用（緑）が点灯するようになっているため、表示灯を頼りに化粧室付近に来た乗客は、最終的には小窓を確認し、目の前の化粧室が空いているのかどうかを確認する必要があり、どちらの化粧室が使用できるのかが瞬時に判断できない不利がある。
また、従来の構成では、壁部に表示灯を組み込む作業および化粧室から壁部の表示灯まで電気配線を行なう作業を必要とし、さらに、機体側の回路に、両方の化粧室が使用中である場合以外は空きであると判定するための判定ロジックを持たせる必要があり、コストダウンを図る上で不利があった。
本発明者は前記事情に鑑み案出されたものであって、本発明の目的は、航空機の機内において壁部への表示灯の組み込み作業や化粧室から壁部までの電気配線の取り回し作業を省き、また、化粧室が空きか否かの判定ロジックも省いてコストダウンを図り、また、座席からも化粧室の正面からも瞬時に使用非使用を判断できる化粧室ユニットを提供することにある。
【課題を解決するための手段】
【０００４】
前記目的を達成するため本発明の化粧室ユニットは、互いに対向する両側の側面壁およびそれら側面壁の前部を接続する正面壁を有し化粧室を仕切る化粧室躯体と、前記正面壁に設けられドアで開閉される出入口とを備え、前記正面壁の左右の上部と前記両側の側面壁の前部の上部とが交わる角部に、化粧室の使用非使用表示用の表示灯が、前記正面壁の前方と前記両側の側面壁の側方から視認可能に設けられていることを特徴とする。
また、本発明は、互いに対向する両側の側面壁およびそれら側面壁の前部を接続する正面壁を有し化粧室を仕切る化粧室躯体と、前記正面壁に設けられドアで開閉される出入口とを備え、前記正面壁の左右方向の一方の上部と、この上部に接続する前記両側の側面壁の一方の側面壁の上部とが交わる角部に、化粧室の使用非使用表示用の表示灯が、前記正面壁の前方と前記一方の側面壁の側方から視認可能に設けられていることを特徴とする。
また、本発明は、航空機の機内に設置される化粧室ユニットであって、互いに対向する両側の側面壁およびそれら側面壁の前部を接続する正面壁を有し化粧室を仕切る化粧室躯体と、前記正面壁に設けられドアで開閉される出入口とを備え、前記機内には、多数の座席が機体の前後左右に並べられた座席群が機体の前後に沿って複数設けられ、前記化粧室ユニットは、前記正面壁を機体の左右方向の中央に向け、かつ、前記両側の側面壁を機体の左右方向に延在させて前記複数の座席群の間に配置され、前記正面壁の左右の上部と前記両側の側面壁の前部の上部とが交わる角部に、化粧室の使用非使用表示用の表示灯が、前記正面壁の前方と前記両側の側面壁の側方から視認可能に設けられていることを特徴とする。
また、本発明は、航空機の機内に設置される化粧室ユニットであって、互いに対向する両側の側面壁およびそれら側面壁の前部を接続する正面壁を有し化粧室を仕切る化粧室躯体と、前記正面壁に設けられドアで開閉される出入口とを備え、前記機内には、多数の座席が機体の前後左右に並べられた座席群が設けられ、前記化粧室ユニットは、前記正面壁を機体の左右方向の中央に向け、かつ、前記両側の側面壁を機体の左右方向に延在させて前記座席群の前方または後方に配置され、前記両側の側面壁のうち前記座席群に臨む一方の側面壁の上部と、前記正面壁の上部とが交わる角部に、化粧室の使用非使用表示用の表示灯が、前記正面壁の前方と前記一方の側面壁の側方から視認可能に設けられていることを特徴とする。
【発明の効果】
【０００５】
本発明によれば、側面壁側および正面壁側から表示灯を視認できるので、化粧室が使用できるか否かを瞬時に判断できる。
また、表示灯は化粧室躯体に設けられているので、従来のように化粧室から離れた箇所において表示灯を組み込む作業や化粧室から離れた箇所まで電気配線を行なう作業を省略でき、さらに、従来の化粧室が空きか否かの判定ロジックも不要となり、コストダウンを図る上で有利となる。
【発明を実施するための最良の形態】
【０００６】
以下、本発明の化粧室ユニットを、航空機の機内に設置される航空機用化粧室に適用した実施の形態について図面にしたがって説明する。
図１は機内の座席群および化粧室ユニットの配置を示した平面図、図２は座席側から化粧室ユニットを見た図、図３は化粧室ユニットの斜視図、図４（Ａ）は図３のＡＡ断面図、（Ｂ）は図３のＢＢ断面図、図５は表示灯の視認範囲の説明図、図６（Ａ）、（Ｂ）は制御部の説明図を示す。
図１、図２に示すように、航空機１０の機内には、機体の左右に並べられた複数の座席Ｓが機体の前後に並べられて座席列とされ、この座席列は通路を挟んで２つ設けられ、それら２つの座席列により、多数の座席が機体の前後左右に沿って並べられた座席群Ｇが構成されている。
この座席群Ｇは、スペースを挟んで機体の前後方向に沿って複数配置され、客室を構成している。
航空機用化粧室ユニット１２は、それら座席群Ｇの間のスペースの左右にそれぞれ１つずつ対向するように配置されている。
【０００７】
図３に示すように、化粧室ユニット１２は、化粧室１４を客室から仕切る化粧室躯体１６と、この化粧室躯体１６の内部に配置された便器、洗面台、給水栓、鏡、照明器具などを含んで構成されている。
化粧室躯体１６は、互いに対向する両側の側面壁２０、それら側面壁２０の前部を接続する正面壁２２、それら側面壁２０の後部を接続する背面壁、床、天井などを含んで構成されている。
両側の側面壁２０は、機体の左右方向に沿って延在し、したがって、両側の側面壁２０はそれぞれ座席群Ｇに対向している。
正面壁２２は、機体の左右方向の中央に臨んでおり、正面壁２２にはドア２４で開閉される出入口２６が設けられている。
【０００８】
両側の側面壁２０は、例えば、ハニカムコアを強化繊維プラスチック板で挟んだ構造の部材で構成されている。
ドア２４は、揺動式であっても、スライド式であってもよい。
ドア２４には把手２４０２が設けられ、また、ドア２４の内面には、ドア２４を閉めた際にドア２４をロックするロック機構２８（図６参照）が設けられている。
なお、ドア２４には、従来のように、化粧室１４の内側からのロック操作に連動させて赤または緑のプレートを露出させる小窓は設けられていない。
【０００９】
そして、正面壁２２の左右の上部と両側の側面壁２０の前部の上部とが交わる角部に、化粧室１４の使用非使用表示用の表示灯３０が、それぞれ正面壁２２の前方と側面壁２０の側方から視認可能に設けられている。
表示灯３０は角部の上部で角部に沿って上下に延在し、上下に縦長形状を呈している。より詳細には、表示灯３０は角部の上端（正面壁２２の上端および側面壁２０の上端）から出入口２６（ドア２４）の上縁よりも下方の箇所まで延在している。
【００１０】
本実施の形態では、正面壁２２の左右の縁と、両側の側面壁２０の前縁とを連続状に接続する合成樹脂製のカバー３２が設けられている。
より詳細には、図４（Ａ）に示すように、正面壁２２の左右端面と、両側の側面壁２０の前端面との間の空間に、アルミ合金などからなる金属製の補強フレーム３４が配置され、カバー３２はこの補強フレーム３４に不図示のねじで取着されて配置されている。
カバー３２は、正面壁２２の左右の縁と、両側の側面壁２０の前縁とを接続する外方に凸状の湾曲面３２０２を有し、カバー３２により正面壁２２と両側の側面壁２０とは連続状に接続されている。
【００１１】
化粧室躯体１６の上部に位置するカバー３２の上部は欠部とされ（切除され）、表示灯３０はこの欠部に配置されてカバー３２と連続状となっている。
表示灯３０は、図４（Ｂ）、図６に示すように、発光源をなす赤色発光ダイオード３００２および緑色（または青色）発光ダイオード３００４と、それら発光ダイオード３００２、３００４が搭載されたフレーム３００６と、それらを覆う合成樹脂製のカバー３００８とを備え、表示灯３０は不図示のねじで補強フレーム３４に取着されて配置されている。
表示灯３０のカバー３００８は、角部に配置されるカバー３２の湾曲面３２０２と同一形状の外方に凸状の湾曲面３０１０を有し、この湾曲面３０１０の湾曲方向の一方の部分は正面壁２２の前方に臨み、また、湾曲面３０１０の湾曲方向の他方の部分は側面壁２０の側方に臨んでいる。
【００１２】
また、図６（Ａ）に示すように、表示灯３０を点灯させる制御部４０が設けられ、制御部４０は、化粧室１４の内側からのロック操作によりドアが閉じられた状態にロックされたときにこのロック機構２８の動きを検出するスイッチ４２と、スイッチ４２から供給される検出信号を検出することで、化粧室１４がロックされたときに赤色発光ダイオード３００２を発光させて表示灯３０を赤色に点灯し、化粧室１４がロックされていないときには、緑色（または青色）発光ダイオード３００４を発光させて表示灯３０を緑色（または青色）に点灯する駆動回路４４とを備えている。
なお、制御部４０と表示灯３０との間の電気配線は、化粧室ユニット１２を製造する工場においてなされることは無論のことである。
あるいは、図６（Ｂ）に示すように、駆動回路４４を省略して制御部４０をスイッチ４２のみで構成することにより構成の簡素化を図ることもできる。
すなわち、スイッチ４２として、電源電圧Ｖに電流制限抵抗Ｒを介して接続された第１の端子４２Ａと、第１の端子４２Ａに対してノーマルクローズの第２の端子４２Ｂと、第１の端子４２Ａに対してノーマルオープンの第３の端子４２Ｃを有する切り替えスイッチを用いる。
この場合、化粧室１４がロックされていない状態ではスイッチ４２は第１の端子４２Ａが第２の端子４２Ｂに接続され、これにより電源電圧Ｖによる駆動電流が第２の端子４２Ｂを介して緑色（または青色）発光ダイオード３００４に供給され、表示灯３０が緑色（または青色）に点灯される。
また、化粧室１４がロックされた状態ではスイッチ４２は第１の端子４２Ａが第３の端子４２Ｃに接続され、これにより電源電圧Ｖによる駆動電流が第３の端子４２Ｃを介して赤色発光ダイオード３００２に供給され、表示灯３０が赤色に点灯される。
【００１３】
本実施の形態によれば、化粧室１４の使用非使用表示用の表示灯３０が、正面壁２２の前方と側面壁２０の側方から視認できる。
すなわち、図５に化粧室ユニット１２の概略平面図を示すように、表示灯３０は、化粧室１４の正面壁２２とこの正面壁２２に接続する側面壁２０の角部を中心としてほぼ２７０度の範囲から視認できる。
そして、本実施の形態では、正面壁２２の左右の上部両側の角部に表示灯３０が設けられているので、表示灯３０を、正面壁２２の前方と両側の側面壁２０の側方からの３方向から視認できる。
したがって、図２に示すように、乗客が座席Ｓに座ったままの姿勢で表示灯３０を視認して化粧室１４を使用できるか否かを判断でき、また、表示灯３０を頼りに化粧室付近に来た場合でも、従来の小窓を視認することなく表示灯３０を視認することでどちらの化粧室１４を使用できるか否かを判断できる。
したがって、従来のように化粧室１４から離れた壁部に表示灯３０を組み込む作業や化粧室１４と壁部との間での電気配線作業を省略でき、さらに、従来の化粧室が空きか否かの判定ロジックも省略でき、化粧室１４にまつわるコストダウンを図る上で極めて有利となる。
また、表示灯３０は化粧室１４の正面からも視認できるので、従来の小窓を視認する場合に比べ、どちらの化粧室１４を使用できるか否かを瞬時に判断でき、化粧室１４の使い勝手を高める上で有利となる。
また、表示灯３０は上下の縦長の棒状に点灯するので、表示灯３０は遠くからも近くからも見やすく、化粧室１４の使い勝手を高める上で有利となる。
【００１４】
なお、本実施の形態では、化粧室ユニット１２が、座席群Ｇの間のスペースに配置されている場合について説明したが、例えば、座席群Ｇの後方のスペースに化粧室ユニット１２が配置され、この化粧室ユニット１２の後方に座席Ｓがない場合には、化粧室ユニット１２の後方から表示灯３０を見ることがないので正面壁２２の左右の上部と両側の側面壁２０の前部の上部とが交わる角部にそれぞれ表示灯３０を設ける必要はなく、この場合には、座席群Ｇ側の正面壁２２の上部と、座席群Ｇ側の側面壁２０の前部の上部とが交わる角部に表示灯３０を設ければよい。すなわち、化粧室ユニット１２が、正面壁２２を機体の左右方向の中央に向け、かつ、両側の側面壁２０を機体の左右方向に延在させて座席群Ｇの前方または後方に配置される場合には、両側の側面壁２０のうち座席群Ｇに臨む一方の側面壁２０の上部と、正面壁２２の上部とが交わる角部に表示灯３０を設ければよい。
また、本実施の形態では、航空機の機内に設置される化粧室ユニット１２に本発明を適用した場合について説明したが、本発明の化粧室ユニット１２は、船、鉄道車両、ホテル、劇場など航空機の機内以外の箇所に設置される場合にも広く適用される。
【図面の簡単な説明】
【００１５】
【図１】機内の座席群および化粧室ユニットの配置を示した平面図である。
【図２】座席側から化粧室ユニットを見た図である。
【図３】化粧室ユニットの斜視図である。
【図４】（Ａ）は図３のＡＡ断面図、（Ｂ）は図３のＢＢ断面図である。
【図５】表示灯の視認範囲の説明図である。
【図６】（Ａ）、（Ｂ）は制御部の説明図である。
【符号の説明】
【００１６】
１２……化粧室ユニット、１４……化粧室、１６……化粧室躯体、２０……側面壁、２２……正面壁、２４……ドア、２６……出入口、２８……ロック機構、３０……表示灯。
【図１】
2009073311.tif 000003
【図２】
2009073311.tif 000004
【図３】
2009073311.tif 000005
【図４】
2009073311.tif 000006
【図５】
2009073311.tif 000007
【図６】
2009073311.tif 000008